(57)【要約】【課題】ピン体とグロメット体との掛合代を大きく確保できるようにする。【解決手段】ピン体１の軸部１１には突き出し縁１１ｂの輪郭形状を多角形状とした掛合突部１１ａが形成されている。グロメット体２の筒状部２１は、ピン体１の軸部１１への掛合部分２１ｄと、導入部分２１ｂと掛合部分２１ｄとの間において両部分２１ｂ、２１ｄの内部を連通させ合う中間部分２１ｃとを備えている。中間部分２１ｃは、筒状部２１の筒軸線に直交する向きの断面輪郭形状を、ピン体１の掛合突部１１ａの突き出し縁１１ｂの輪郭形状に倣い、かつ、この掛合突部１１ａとほぼ等しい大きさの多角形状としている。掛合部分２１ｄの内部には、突き出し縁２１ｆを直線的に配した被掛合突部２１ｅがその突き出し縁２１ｆを、多角形状の断面輪郭形状を持った中間部分２１ｃのこの多角形状の一辺に沿わせるようにして、形成されている。【選択図】        図１
2004308864.tif 000002
【特許請求の範囲】
【請求項１】
頭部と軸部とを有するピン体と、頭部と筒状部とを有するグロメット体とを備え、
被留め付け対象物に開設された留め付け用穴内において、グロメット体の筒状部における頭部との連接側と反対の開放端からこの筒状部内にピン体の軸部を入れ込ませて掛合させることにより、ピン体の頭部とグロメット体の頭部との間で被留め付け対象物を挟み込むようにして留め付けられる留め具であって、
ピン体の軸部には、この軸部の軸線を周回すると共に、突き出し縁の輪郭形状を多角形状とした掛合突部が形成されていると共に、
グロメット体の筒状部は、
ピン体の軸部の導入部分と、
ピン体の軸部への掛合部分と、
この導入部分と掛合部分との間において両部分の内部を連通させ合う中間部分とを備えており、
中間部分は、筒状部の筒軸線に直交する向きの断面内郭形状を、ピン体の掛合突部の突き出し縁の輪郭形状に倣い、かつ、この掛合突部とほぼ等しい大きさの多角形状としており、
掛合部分の内部には、突き出し縁を直線的に配した被掛合突部が形成されていると共に、
この被掛合突部の突き出し縁を、多角形状の断面内郭形状を持った中間部分のこの多角形状の一辺に沿わせるようにして、この被掛合突部が掛合部分の内部に形成されていることを特徴とする留め具。
【請求項２】
グロメット体の筒状部における導入部分が、中間部分との連通箇所から開放端に向かうに連れて次第に内径を大きくするように構成してあることを特徴とする請求項１記載の留め具。
【請求項３】
ピン体の軸部にその軸線方向において隣り合う掛合突部との間にほぼ等しいピッチを開けて複数の掛合突部が多段状をなすように形成してあると共に、
グロメット体の筒状部における掛合部分にその筒軸線方向において隣り合う被掛合突部との間にほぼ等しいピッチを開けて複数の被掛合突部が多段状をなすように形成してあり、
しかも、グロメット体における隣り合う被掛合突部間のピッチが、ピン体における隣り合う掛合突部間のピッチ、又は、このピン体における隣り合う掛合突部間のピッチの倍数となる寸法に一致しないようにしてあることを特徴とする請求項１記載の留め具。
【請求項４】
ピン体の軸部にその軸線方向において隣り合う掛合突部との間に間隔を開けて複数の掛合突部が多段状をなすように形成してあると共に、
グロメット体の頭部に、筒状部における掛合部分の内部に連通した連通穴が形成してあり、
この連通穴の穴径がピン体の軸部の太さとほぼ同じかそれより大きくなるようにしてあることを特徴とする請求項１記載の留め具。
【発明の詳細な説明】
【０００１】
【発明の属する技術分野】
この発明は、ピン体とグロメット体とを備え、被留め付け対象物に開設された留め付け用穴にグロメット体を入れ込ませた状態から、このグロメット体にピン体の一部を入れ込ませることによって、この被留め付け対象物に留め付けられる留め具の改良に関する。
【０００２】
【従来の技術】
頭部１０１と軸部１０２とを有する雄部材１００と、頭部２０１と筒部２０２とを有する雌部材２００とからなり、被留め付け対象物Ｍに開設された留め付け用穴Ｍａにこの穴Ｍａの一方の穴口側から雌部材２００の筒部２０２を入れ込ませた後、この穴Ｍａの他方の穴口側から雄部材１００の軸部１０２を雌部材２００の筒部２０２内に入れ込ませるようにこの穴Ｍａに入れ込ませ、この入れ込みに伴って雄部材１００の軸部１０２と雌部材２００の筒部２０２とを掛合させて被留め付け対象物Ｍに対する留め付けをなすようにする留め具として、図１５に示されるような構造を備えたものが知られている。
【０００３】
かかる雄部材１００は、丸棒状をなす軸部１０２の外周に丸鍔状をなす掛合突部１０３を備えている。
【０００４】
一方、かかる雌部材２００は、筒部２０２の内部に、雄部材１００の軸部１０２の前記入れ込みに伴ってこの軸部１０２に形成された掛合突部１０３に突き当てられてこの軸部１０２の入り込みを許容するように一旦弾性変形した後、この軸部１０２の所定の入れ込み位置において弾性復帰してこの雄部材１００の軸部１０２の掛合突部１０３に掛合される鰭状をなす被掛合突部２０３を備えている。
【０００５】
【発明が解決しようとする課題】
しかるに、図１５に示される留め具は、雄部材１００の軸部１０２に形成されている掛合突部１０３が丸鍔状をなしているために、雌部材２００の被掛合突部２０３との掛合代Ｒ（引っかかり合っている範囲）を大きく確保し難いものであった。（図１６参照）この掛合代Ｒが少ないと両部材１００、２００に対し掛合状態から両部材１００、２００を引き離す向きの力が作用した場合、特に、被掛合突部２０３の破損を生じさせ易くなる。もちろん、両部材１００、２００を大型化すればこの掛合代Ｒもそれに応じて広くなるが、留め具のコンパクト化の要請に反することとなる。また、この掛合代Ｒを稼ぐ手法として、雌部材２００の被掛合突部２０３の突き出し縁を雄部材１００の掛合突部１０３の突き出し縁の円弧に倣った円弧状をなすように形成することも有効ではあるが、かかる被掛合突部２０３の弾性変形特性を容易に確保する観点などからこの種の留め具における少なくとも雌部材２００はプラスチック製とされることが多いところ、雌部材２００の筒部２０２内にこのように円弧状の突き出し縁を備えた被掛合突部２０３を成形させることはアンダーカット回避の観点などから困難であり、回避できても成形型の複雑化を招くものとなる。
【０００６】
そこでこの発明は、この種の留め具において、ピン体（雄部材）とグロメット体（雌部材）との掛合時の掛合代を、留め具の大型化・構造の複雑化を招くことなく、できる限り大きく確保できるようにして、かかるピン体とグロメット体とをより安定的に掛合できるようにすることを主たる目的とする。
【０００７】
【課題を解決するための手段】
前記目的を達成するために、請求項１記載の発明にあっては、留め具が以下の（１）〜（７）の構成を備えたものとした。
（１）頭部と軸部とを有するピン体と、頭部と筒状部とを有するグロメット体とを備え、
（２）被留め付け対象物に開設された留め付け用穴内において、グロメット体の筒状部における頭部との連接側と反対の開放端からこの筒状部内にピン体の軸部を入れ込ませて掛合させることにより、ピン体の頭部とグロメット体の頭部との間で被留め付け対象物を挟み込むようにして留め付けられる留め具であって、
（３）ピン体の軸部には、この軸部の軸線を周回すると共に、突き出し縁の輪郭形状を多角形状とした掛合突部が形成されていると共に、
（４）グロメット体の筒状部は、
ピン体の軸部の導入部分と、
ピン体の軸部への掛合部分と、
この導入部分と掛合部分との間において両部分の内部を連通させ合う中間部分とを備えており、
（５）中間部分は、筒状部の筒軸線に直交する向きの断面内郭形状を、ピン体の掛合突部の突き出し縁の輪郭形状に倣い、かつ、この掛合突部とほぼ等しい大きさの多角形状としており、
（６）掛合部分の内部には、突き出し縁を直線的に配した被掛合突部が形成されていると共に、
（７）この被掛合突部の突き出し縁を、多角形状の断面内郭形状を持った中間部分のこの多角形状の一辺に沿わせるようにして、この被掛合突部が掛合部分の内部に形成されている。
【０００８】
かかる構成によれば、
（１）グロメット体の筒状部の導入部分に入れ込まれたピン体の軸部は、この軸部に形成された掛合突部の多角形状をなす突き出し縁の各辺を断面内郭形状を多角形状とする中間部分のこの多角形状の対応する辺に沿わせた向きでのみこの中間部分より先に、つまり、筒状部の掛合部分に入れ込み可能とされる。
（２）そして、掛合部分の内部に形成された被掛合突部は、その突き出し縁を直線的に配すると共に、この被掛合突部の突き出し縁は、多角形状の断面内郭形状を持った中間部分のこの多角形状の一辺に沿わせるようにして、掛合部分の内部に形成されていることから、掛合部分に入り込んだピン体の軸部は、この軸部に形成された掛合突部の多角形状をなす突き出し縁の少なくとも一辺を被掛合突部の突き出し縁に沿わせるようにして、この掛合突部を被掛合突部に掛合させる。これにより、グロメット体とピン体とが留め合わされて一体化される。ピン体側の掛合突部はグロメット体側の被掛合突部に対し広い範囲で掛合され、両者の掛合状態は高く確保される。
【０００９】
また、請求項２記載の発明にあっては、請求項１記載の留め具におけるグロメット体の筒状部における導入部分が、中間部分との連通箇所から開放端に向かうに連れて次第に内径を大きくするように構成してあることを特徴としている。
【００１０】
かかる構成によれば、グロメット体の筒状部の開放端からピン体の軸部をこの筒状部内に、導入部分と中間部分との連接箇所までは方向性なく容易に入れ込ませることができる。より具体的には、グロメット体の筒状部の開放端からピン体の軸部における掛合突部の形成されている箇所までをこの筒状部内に、導入部分と中間部分との連接箇所までは方向性なく容易に入れ込ませることができる。
【００１１】
また、請求項３記載の発明にあっては、請求項１記載の留め具におけるピン体の軸部にその軸線方向において隣り合う掛合突部との間にほぼ等しいピッチを開けて複数の掛合突部が多段状をなすように形成してあると共に、
グロメット体の筒状部における掛合部分にその筒軸線方向において隣り合う被掛合突部との間にほぼ等しいピッチを開けて複数の被掛合突部が多段状をなすように形成してあり、
しかも、グロメット体における隣り合う被掛合突部間のピッチが、ピン体における隣り合う掛合突部間のピッチ、又は、このピン体における隣り合う掛合突部間のピッチの倍数となる寸法に一致しないようにしてあることを特徴としている。
【００１２】
かかる構成によれば、ピン体における隣り合う掛合突部間のピッチの範囲内であれば、被留め付け対象物の厚さが若干変化しても、ピン体の軸部に形成された複数の掛合突部のいずれか一つに対し、グロメット体の被掛合突部のいずれか一つを確実に掛合させることができる。
【００１３】
また、請求項４記載の発明にあっては、請求項１記載の留め具におけるピン体の軸部にその軸線方向において隣り合う掛合突部との間に間隔を開けて複数の掛合突部が多段状をなすように形成してあると共に、
グロメット体の頭部に、筒状部における掛合部分の内部に連通した連通穴が形成してあり、
この連通穴の穴径がピン体の軸部の太さとほぼ同じかそれより大きくなるようにしてあることを特徴としている。
【００１４】
かかる構成によれば、被留め付け対象物の厚さが予定されていた被留め付け対象物の厚さよりも薄い場合であっても、前記連通穴からのピン体の軸部の抜け出しを許容させることにより、この軸部に形成された複数の掛合突部のいずれかをグロメット体の筒状部に形成された被掛合突部に掛合させて、こうした場合でも被留め付け対象物に適切に留め付けることができる。
【００１５】
【発明の実施の形態】
以下、図１ないし図１４に基づいて、この発明の典型的な実施の形態について説明する。
【００１６】
なお、ここで図１は、かかる留め具を構成するピン体１とグロメット体２とを分離させた状態で示している。また、図２ないし図５はピン体１を、図６ないし図１０はグロメット体２を、それぞれ示している。
【００１７】
また、図１１、図１３および図１４は、被留め付け対象物Ｍを留め具によって留め付けた状態をそれぞれ示している。また、図１２は、この留め付けた状態におけるピン体１とグロメット体２との掛合している部分を理解しやすいように断面の状態として示している。
【００１８】
この実施の形態にかかる留め具は、ピン体１とグロメット体２とを備え、被留め付け対象物Ｍに開設された留め付け用穴Ｍａにグロメット体２を入れ込ませた状態から、このグロメット体２にピン体１の一部を入れ込ませることによって、この被留め付け対象物Ｍに留め付けられ、これにより、二以上の被留め付け対象物Ｍ、Ｍ同士の留め合わせなどをなすために用いられるものである。
【００１９】
すなわち、かかる留め具は、頭部１０と軸部１１とを有するピン体１と、頭部２０と筒状部２１とを有するグロメット体２とを備えている。
【００２０】
そして、かかる留め具は、被留め付け対象物Ｍに開設された留め付け用穴Ｍａ内において、グロメット体２の筒状部２１における頭部２０との連接側と反対の開放端２１ａからこの筒状部２１内にピン体１の軸部１１を入れ込ませて掛合させることにより、ピン体１の頭部１０とグロメット体２の頭部２０との間で被留め付け対象物Ｍを挟み込むようにして留め付けられるようになっている。
【００２１】
典型的には、かかる留め具は、それぞれ留め付け用穴Ｍａを貫通状態に備えた二以上の被留め付け対象物Ｍ、Ｍを、この留め付け用穴Ｍａが連通し合うように重ね合わせた後、このように連通させ合わされた留め付け用穴Ｍａの一方の穴口からグロメット体２の筒状部２１を入れ込ませると共に、このように連通させ合わされた留め付け用穴Ｍａの他方の穴口からピン体１の軸部１１を入れ込ませ、このピン体１の軸部１１の入れ込み操作によってかかる留め付け用穴Ｍａ内でグロメット体２の筒状部２１とピン体１の軸部１１とを掛合させることにより、かかる二以上の被留め付け対象物Ｍ、Ｍの重ね合わせ状態を維持させるように用いられる。
【００２２】
前記ピン体１は、頭部１０と軸部１１とを有している。
【００２３】
図示の例にあっては、頭部１０は円形の外郭形状を備えた円板状をなすように構成されている。そして、この頭部１０の一面側であって、そのほぼ中央部に、軸部１１の一端が一体に接合されている。
【００２４】
また、このピン体１の軸部１１には、この軸部１１の軸線を周回すると共に、突き出し縁の輪郭形状を多角形状とした掛合突部１１ａが形成されている。
【００２５】
図示の例にあっては、この掛合突部１１ａは、軸部１１の先端側、つまり、頭部１０との接合側と反対の側に形成されている。また、図示の例にあっては、この掛合突部１１ａは、その突き出し縁１１ｂの輪郭形状を正六角形状とするように構成されている。
【００２６】
一方、前記グロメット体２は、頭部２０と筒状部２１とを有している。
【００２７】
図示の例にあっては、頭部２０は円形の外郭形状を備えた円板状をなすように構成されている。そして、この頭部２０の一面側であって、そのほぼ中央部に、筒状部２１の一端が一体に接合されている。この筒状部２１の他端は開放されている。
【００２８】
また、このグロメット体２の筒状部２１は、
（１）ピン体１の軸部１１の導入部分２１ｂと、
（２）ピン体１の軸部１１への掛合部分２１ｄと、
（３）この導入部分２１ｂと掛合部分２１ｄとの間において両部分２１ｂ、２１ｄの内部を連通させ合う中間部分２１ｃとを備えている。
【００２９】
具体的には、筒状部２１は、開放端２１ａにおいて開放された導入部分２１ｂと、この導入部分２１ｂに続く中間部分２１ｃと、この中間部分２１ｃに続く掛合部分２１ｄとを備えており、図示の例にあっては、この掛合部分２１ｄにおける中間部分２１ｃとの連接端と反対の端部において頭部２０に一体に連接されている。
【００３０】
中間部分２１ｃは、筒状部２１の筒軸線に直交する向きの断面内郭形状を、ピン体１の掛合突部１１ａの突き出し縁１１ｂの輪郭形状に倣い、かつ、この掛合突部１１ａとほぼ等しい大きさの多角形状としている。（図７）
【００３１】
また、掛合部分２１ｄの内部には、突き出し縁２１ｆを直線的に配した被掛合突部２１ｅが形成されていると共に、
この被掛合突部２１ｅの突き出し縁２１ｆを、多角形状の断面内郭形状を持った中間部分２１ｃのこの多角形状の一辺に沿わせるようにして、この被掛合突部２１ｅが掛合部分２１ｄの内部に形成されている。（図７および図８）
図示の例では、被掛合突部２１ｅの突き出し縁２１ｆは、多角形状の断面内郭形状を持った中間部分２１ｃのこの多角形状の一辺の直下において、この一辺とほぼ平行をなすように配されており、また、平面視の状態において、この一辺よりもやや内方に突き出されている。
【００３２】
これにより、この実施の形態にかかる留め具にあっては、
（１）グロメット体２の筒状部２１の導入部分２１ｂに入れ込まれたピン体１の軸部１１は、この軸部１１に形成された掛合突部１１ａの多角形状をなす突き出し縁１１ｂの各辺を断面内郭形状を多角形状とする中間部分２１ｃのこの多角形状の対応する辺に沿わせた向きでのみこの中間部分２１ｃより先に、つまり、筒状部２１の掛合部分２１ｄに入れ込み可能とされる。
（２）そして、掛合部分２１ｄの内部に形成された被掛合突部２１ｅは、その突き出し縁２１ｆを直線的に配すると共に、この被掛合突部２１ｅの突き出し縁２１ｆは、多角形状の断面内郭形状を持った中間部分２１ｃのこの多角形状の一辺に沿わせるようにして、掛合部分２１ｄの内部に形成されていることから、掛合部分２１ｄに入り込んだピン体１の軸部１１は、この軸部１１に形成された掛合突部１１ａの多角形状をなす突き出し縁１１ｂの少なくとも一辺を被掛合突部２１ｅの突き出し縁２１ｆに沿わせるようにして、この掛合突部１１ａを被掛合突部２１ｅに掛合させる。（図１２）これにより、グロメット体２とピン体１とが留め合わされて一体化される。ピン体１側の掛合突部１１ａはグロメット体２側の被掛合突部２１ｅに対し広い範囲で掛合され、両者の掛合状態は高く確保される。（図１２）
【００３３】
図示の例にあっては、グロメット体２の筒状部２１における掛合部分２１ｄに形成された被掛合突部２１ｅは、この筒状部２１における向き合った内壁部においてそれぞれ、この内壁部から突き出すように形成されている。そして、図示の例にあっては、この筒状部２１における掛合部分２１ｄに入り込んできたピン体１の軸部１１の掛合突部１１ａの形成箇所に対し、正六角形状をなすこの掛合突部１１ａの突き出し縁１１ｂの一辺に一方の被掛合突部２１ｅの突き出し縁２１ｆを掛合させ、かつ、この掛合突部１１ａの突き出し縁１１ｂの一辺に対向した一辺に他方の被掛合突部２１ｅの突き出し縁２１ｆを掛合させるようになっている。
【００３４】
図示の例にあっては、グロメット体２の筒状部２１における掛合部分２１ｄに形成された突き出し縁２１ｆを向き合わさせた一対の被掛合突部２１ｅ、２１ｅのこの突き出し縁２１ｆ間の間隔が、ピン体１の軸部１１に形成された正六角形状をなす掛合突部１１ａの突き出し縁１１ｂにおける対向辺間の間隔よりもやや小さくなるようにしてあると共に、
かかる被掛合突部２１ｅが、ピン体１の軸部１１の入れ込みにあたり、かかる一対の被掛合突部２１ｅ、２１ｅの突き出し縁２１ｆ間の間隔を広げさせる向きに弾性的に変形可能に構成されている。
【００３５】
具体的には、図示の例にあっては、かかる被掛合突部２１ｅは、上辺部をグロメット体２の筒状部２１における掛合部分２１ｄの内壁部に一体に連接させると共に、突き出し縁を２１ｆ下辺部として、頭部２０との連接側に向かうに連れて次第にこの内壁部から離れ出すように形成された板状体として構成されている。そして、グロメット体２の筒状部２１における掛合部分２１ｄへのピン体１の軸部１１の入れ込みによって被掛合突部２１ｅは、その突き出し縁２１ｆ、つまり、下辺部を掛合部分２１ｄの内壁部に近づけさせる向きに弾性変形されるようになっている。
【００３６】
すなわち、かかる被掛合突部２１ｅの突き出し縁２１ｆに入れ込まれてきたピン体１の軸部１１の掛合突部１１ａの突き出し縁１１ｂが突き当てられることにより、かかる被掛合突部２１ｅは前記のように弾性変形され、この被掛合突部２１ｅの突き出し縁２１ｆが掛合突部１１ａの突き出し縁１１ｂを乗り越えた位置、つまり、この被掛合突部２１ｅの突き出し縁２１ｆの下方に掛合突部１１ａの突き出し縁１１ｂが入り込んだ位置でかかる被掛合突部２１ｅが弾性復帰され、この被掛合突部２１ｅが掛合突部１１ａに引っかかるようになっている。
【００３７】
図示の例では、かかる被掛合突部２１ｅは、前記のように形成された板状体として構成されていることから、前記ピン体１の軸部１１の入れ込みに伴って被掛合突部２１ｅは弾性変形し易い反面、一旦前記のように掛合突部１１ａに引っかかった後はこの引っかかり状態は解かれ難く、グロメット体２とピン体１との掛合状態は安定的に確保される。
【００３８】
また、図示の例にあっては、ピン体１の軸部１１に形成された掛合突部１１ａは、その突き出し縁１１ｂを頂部とし、この頂部を挟んだピン体１の頭部１０の側にこの軸部１１の軸線にほぼ直交する向きの掛合面１１ｃを備えると共に、この頂部を挟んだピン体１の先端の側にこの頂部に向けて次第に高まる傾斜面１１ｄを有しており、被掛合突部２１ｅの突き出し縁２１ｆは、この被掛合突部２１ｅの前記弾性復帰によって掛合突部１１ａの掛合面１１ｃにしっかりと引っかかると共に、被掛合突部２１ｅの前記弾性変形は前記傾斜面１１ｄによってスムースになされるようになっている。
【００３９】
また、この実施の形態にあっては、グロメット体２の筒状部２１における導入部分２１ｂが、中間部分２１ｃとの連通箇所から開放端２１ａに向かうに連れて次第に内径を大きくするように構成してある。
【００４０】
これにより、この実施の形態にあっては、グロメット体２の筒状部２１の開放端２１ａからピン体１の軸部１１をこの筒状部２１内に、導入部分２１ｂと中間部分２１ｃとの連接箇所までは方向性なく容易に入れ込ませることができる。より具体的には、グロメット体２の筒状部２１の開放端２１ａからピン体１の軸部１１における掛合突部１１ａの形成されている箇所までをこの筒状部２１内に、導入部分２１ｂと中間部分２１ｃとの連接箇所までは方向性なく容易に入れ込ませることができる。なお、図示の例にあっては、導入部分２１ｂは、断面内郭形状を多角形状とする中間部分２１ｃのこの多角形の各辺を下辺とするようにして開放端２１ａに続く、この多角形の辺の数分の傾斜面によって構成された内面を有しており、導入部分２１ｂも筒状部２１の筒軸線に直交する向きの断面内郭形状を各位置において、中間部分２１ｃの断面内郭形状の相似形となる形状としている。この結果、図示の例では、導入部分２１ｂに入れ込まれたピン体１の軸部１１を、この軸部１１が導入部分２１ｂの奥に入り込むに従って、この軸部１１における掛合突部１１ａの形成されている箇所が導入部分２１ｂから先に、つまり、中間部分２１ｃを通り抜けて掛合部分２１ｄに至る位置まで入り込めるように、この軸部１１の向きを次第に整序させるようになっている。
【００４１】
図示の例にあっては、グロメット体２の筒状部２１における中間部分２１ｃは、その内部の断面内郭形状を、正六角形状をなすように形成されている。図示の例では、導入部分２１ｂおよび掛合部分２１ｄに対し中間部分２１ｃは筒状部２１の筒軸線に沿った向きの長さを小さくするように構成されている。
【００４２】
また、この実施の形態にあっては、ピン体１の軸部１１にその軸線方向において隣り合う掛合突部１１ａとの間にほぼ等しいピッチを開けて複数の掛合突部１１ａ、１１ａ…が多段状をなすように形成してある。
【００４３】
図示の例にあっては、ピン体１の軸部１１における先端、つまり、頭部１０と軸部１１の連接側と反対の端部から、この軸部１１の長さ寸法の約３分の１の位置までに亘って、多段状をなすように掛合突部１１ａが形成されている。
【００４４】
各掛合突部１１ａ、１１ａ…は、いずれも、他の掛合突部１１ａと同寸・同形をなすように構成されている。
【００４５】
具体的には、図示の例にあっては、ピン体１の軸部１１に、この軸部１１の軸線方向において、隣り合う周回溝１１ｅとの間にほぼ等しいピッチを開けて、複数の周回溝１１ｅを形成させており、隣り合う周回溝１１ｅによって掛合突部１１ａが形成されるようにしてある。
【００４６】
なお、ピン体１の軸部１１のもっとも先端側に位置される掛合突部１１ａは、この掛合突部１１ａよりも先にある軸部１１を周回溝１１ｅ部分の軸部１１の径とほぼ等しい径を持つように細めることで形成されれるようになっている。
【００４７】
また、この実施の形態にあっては、グロメット体２の筒状部２１における掛合部分２１ｄにその筒軸線方向において隣り合う被掛合突部２１ｅとの間にほぼ等しいピッチを開けて複数の被掛合突部２１ｅ、２１ｅ…が多段状をなすように形成してある。
【００４８】
図示の例にあっては、グロメット体２の筒状部２１の掛合部分２１ｄには、この筒状部２１をその筒軸線に直交する向きに貫通すると共に、この筒軸線方向に長いほぼ長方形状の穴口を備えた貫通穴２１ｇが形成されている。そして、この筒状部２１の筒軸線に沿った向きに配される貫通穴２１ｇの向き合った穴壁２１ｈ、２１ｈにそれぞれ、複数の被掛合突部２１ｅ、２１ｅ…が形成されている。
【００４９】
各被掛合突部２１ｅ、２１ｅ…は、いずれも、他の被掛合突部２１ｅと同寸・同形をなすように構成されている。
【００５０】
また、前記貫通穴２１ｇの一方の穴壁２１ｈに形成された被掛合突部２１ｅはそれぞれその突き出し縁２１ｆを、他方の穴壁２１ｈに形成された被掛合突部２１ｅの一つの突き出し縁２１ｆと同じレベルに位置させるように形成されている。
【００５１】
なお、図示の例にあっては、かかる貫通穴２１ｇの一方の穴口と他方の穴口とにそれぞれ、一端をこの穴口における頭部の側にある穴縁部に一体に連接させると共に、他端をこの穴口における開放端２１ａの側にある穴縁部に一体に連接させた補強棒体２１ｉが備えられており、この補強棒体２１ｉによって貫通穴２１ｇの穴口は左右二つに仕切られたようになっている。そして、図示の例にあっては、このように補強棒体２１ｉによって仕切られた貫通穴２１ｇを利用して、プラスチックの射出成形によって、前記のように被掛合突部２１ｅを備えたグロメット体２を一体成形できるようにしてある。
【００５２】
また、この実施の形態にあっては、グロメット体２における隣り合う被掛合突部２１ｅ、２１ｅ間のピッチが、ピン体１における隣り合う掛合突部１１ａ、１１ａ間のピッチ、又は、このピン体１における隣り合う掛合突部１１ａ、１１ａ間のピッチの倍数となる寸法に一致しないようにしてある。
【００５３】
これにより、この実施の形態にかかる留め具にあっては、ピン体１における隣り合う掛合突部１１ａ、１１ａ間のピッチの範囲内であれば、被留め付け対象物Ｍの厚さが若干変化しても、ピン体１の軸部１１に形成された複数の掛合突部１１ａ、１１ａ…のいずれか一つに対し、グロメット体２の被掛合突部２１ｅのいずれか一つを確実に掛合させることができる。
【００５４】
図示の例にあっては、グロメット体２における隣り合う被掛合突部２１ｅ、２１ｅ間のピッチ（より具体的には、図示の例では隣り合う被掛合突部２１ｅ、２１ｅの突き出し縁２１ｆ間のピッチ）が、ピン体１における隣り合う掛合突部１１ａ、１１ａ間のピッチ（より具体的には、図示の例では隣り合う掛合突部１１ａ、１１ａの突き出し縁１１ｂ間のピッチ）の倍数となる寸法に一致しないようにしてある。
【００５５】
具体的には、グロメット体２における隣り合う被掛合突部２１ｅ、２１ｅ間のピッチが、ピン体１における隣り合う掛合突部１１ａ、１１ａ間のピッチの二倍よりも大きく、ピン体１における隣り合う掛合突部１１ａ、１１ａ間のピッチの三倍よりも小さくなるようにしてある。
【００５６】
例えば、ピン体１における隣り合う掛合突部１１ａ、１１ａ間のピッチが１．５ｍｍである場合、グロメット体２における隣り合う被掛合突部２１ｅ、２１ｅ間のピッチを３．５ｍｍとするようにする。この場合において、グロメット体２の筒状部２１における複数の被掛合突部２１ｅ、２１ｅ…のうち、もっともこのグロメット体２の頭部２０に近い被掛合突部２１ｅがピン体１の軸部１１に形成された掛合突部１１ａに適切に掛合される状態を基本態様とした場合、（図１１）この基本態様における被留め付け対象物Ｍよりも厚さが０．５ｍｍ分α厚い被留め付け対象物Ｍに対してはグロメット体２の筒状部２１における複数の被掛合突部２１ｅ、２１ｅ…のうち、もっともこのグロメット体２の頭部２０に近い被掛合突部２１ｅともっともグロメット体２の筒状部２１の開放端２１ａに近い被掛合突部２１ｅとの間にある被掛合突部２１ｅをピン体１の軸部１１に形成された掛合突部１１ａに適切に掛合させることができる。その余の被掛合突部２１ｅは掛合突部１１ａには適切に掛合はされず、弾性変形されたままの状態となる。（図１３）また、前記基本態様における被留め付け対象物Ｍよりも厚さが１ｍｍ分α’厚い被留め付け対象物Ｍに対してはグロメット体２の筒状部２１における複数の被掛合突部２１ｅ、２１ｅ…のうち、もっともグロメット体２の筒状部２１の開放端２１ａに近い被掛合突部２１ｅをピン体１の軸部１１に形成された掛合突部１１ａに適切に掛合させることができる。その余の被掛合突部２１ｅは掛合突部１１ａには適切に掛合はされず、弾性変形されたままの状態となる。（図１４）
【００５７】
また、この実施の形態にあっては、さらに、グロメット体２の頭部２０に、筒状部２１における掛合部分２１ｄの内部に連通した連通穴２０ａが形成してあると共に、
この連通穴２０ａの穴径がピン体１の軸部１１の太さとほぼ同じかそれより大きくなるようにしてある。
【００５８】
これにより、この実施の形態にあっては、被留め付け対象物Ｍの厚さが予定されていた被留め付け対象物Ｍの厚さよりも薄い場合であっても、前記連通穴２０ａからのピン体１の軸部１１の抜け出しを許容させることにより、この軸部１１に形成された複数の掛合突部１１ａのいずれかをグロメット体２の筒状部２１に形成された被掛合突部２１ｅに掛合させて、こうした場合でも被留め付け対象物Ｍに適切に留め付けることができる。
【００５９】
具体的には、図示の例では、ピン体１の軸部１１における掛合突部１１ａの形成箇所の範囲内、つまり、この軸部１１の軸線方向におけるこの形成箇所の長さの範囲内であれば、被留め付け対象物Ｍの厚さが変わっても、場合によってはこの軸部１１の先端側を前記連通穴２０ａから外方に抜け出させるようにすることで、かかる被留め付け対象物Ｍに対しての適切な留め付けをなすことができる。
【００６０】
なお、以上に説明した留め具における弾性変形特性を持たせるべき部分に対するこの特性の付与は、この留め具をプラスチック材料を用いた射出成形によって成形することで容易に確保することができる。
【００６１】
【発明の効果】
この発明にかかる留め具によれば、ピン体とグロメット体との掛合時の掛合代を、留め具の大型化・構造の複雑化を招くことなく、できる限り大きく確保することができる。
【図面の簡単な説明】
【図１】留め具の分離斜視図
【図２】ピン体１の正面図
【図３】図２におけるＡ−Ａ線端面図
【図４】図２におけるＢ−Ｂ線端面図
【図５】ピン体１の底面図
【図６】グロメット体２の正面図
【図７】図６におけるＣ−Ｃ線端面図
【図８】図６におけるＤ−Ｄ線端面図
【図９】グロメット体２の平面図
【図１０】グロメット体２の底面図
【図１１】留め具の使用状態を示す断面図
【図１２】留め具の要部断面図
【図１３】留め具の使用状態を示す断面図
【図１４】留め具の使用状態を示す断面図
【図１５】従来の留め具の構造を示した斜視図
【図１６】従来の留め具における掛合部分の掛合状態を示した断面構成図
【符号の説明】
Ｍ  被留め付け対象物
Ｍａ  留め付け用穴
１  ピン体
１０  頭部
１１  軸部
１１ａ  掛合突部
１１ｂ  突き出し縁
２  グロメット体
２０  頭部
２１  筒状部
２１ａ  開放端
２１ｂ  導入部分
２１ｃ  中間部分
２１ｄ  掛合部分
２１ｅ  被掛合突部
２１ｆ  突き出し縁
【図１】
2004308864.tif 000003
【図２】
2004308864.tif 000004
【図３】
2004308864.tif 000005
【図４】
2004308864.tif 000006
【図５】
2004308864.tif 000007
【図６】
2004308864.tif 000008
【図７】
2004308864.tif 000009
【図８】
2004308864.tif 000010
【図９】
2004308864.tif 000011
【図１０】
2004308864.tif 000012
【図１１】
2004308864.tif 000013
【図１２】
2004308864.tif 000014
【図１３】
2004308864.tif 000015
【図１４】
2004308864.tif 000016
【図１５】
2004308864.tif 000017
【図１６】
2004308864.tif 000018